(57)【特許請求の範囲】
【請求項１】
ステイションを含む無線ネットワークで用いるコーディネーターを制御する方法であって、前記コーディネーターは、情報を受信または伝送するためのアウェイク状態と、電力を節減するためのスリープ状態とを有し、前記方法は、
前記コーディネーターをアウェイク状態に進入させることと、
ビーコンタイムスロットの間において前記ステイションにビーコン信号を伝送することと、
前記ビーコン信号を伝送した後であらかじめ決まった期間の間において前記ステイションから情報を受信することであって、前記あらかじめ決まった期間は、前記ビーコンタイムスロットと次ビーコンタイムスロットの間に割り当てられるタイムスロットを示し、前記情報は、前記コーディネーターの要求されるアウェイク／スリープ状態を示すアウェイクメッセージを含む、ことと、
前記受信された情報が前記コーディネーターのウェークアップを要請するためのアウェイクメッセージであるかを確認することと、
前記受信された情報が前記コーディネーターのウェークアップを要請するためのアウェイクメッセージである場合には、前記あらかじめ決まった期間の間において前記コーディネーターの前記アウェイク状態を維持することと、
前記受信された情報が前記コーディネーターのウェークアップを要請するためのアウェイクメッセージでない場合には、前記コーディネーターの前記アウェイク状態をスリープ状態へと変更させることと
を含む、方法。
【請求項２】
前記コーディネーターは、
競争接近期間及び非競争接近期間の間において前記スリープ状態である、請求項１に記載の方法。
【請求項３】
前記あらかじめ決まった期間は、
ビーコン伝送と隣接する、請求項１に記載の方法。
【請求項４】
コーディネーターを含む無線ネットワークで用いるステイションを制御する方法であって、前記コーディネーターは、情報を受信または伝送するためのアウェイク状態と、電力を節減するためのスリープ状態とを有し、前記方法は、
前記コーディネーターをアウェイク状態に進入させることと、
あらかじめ決まった期間の間においてコーディネーターにアウェイク情報を伝送することであって、前記あらかじめ決まった期間は、ビーコンタイムスロットと次ビーコンタイムスロットの間に割り当てられるタイムスロットを示し、前記アウェイク情報は、前記コーディネーターの要求されるアウェイク／スリープ状態を示す、ことと
を含み、
前記伝送されたアウェイク情報が前記コーディネーターのウェークアップを要請するためのメッセージである場合には、前記コーディネーターの前記アウェイク状態が、前記あらかじめ決まった期間の間において維持され、前記伝送されたアウェイク情報が前記コーディネーターのウェークアップを要請するためのメッセージでない場合には、前記コーディネーターの前記アウェイク状態がスリープ状態へと変更される、方法。
【請求項５】
前記あらかじめ決まった期間は、
ビーコン伝送と隣接する、請求項４に記載の方法。
【請求項６】
情報を受信または伝送するためのアウェイク状態と、電力を節減するためのスリープ状態とを有するステイションを含む無線ネットワークで電力消費を制御するための装置であって、前記装置は、
外部ステイションからデータを受信し、前記外部ステイションにデータを伝送する通信モジュールと、
前記通信モジュールを通じてビーコン信号をステイションに伝送するためにビーコンタイムスロットの間において前記アウェイク状態を維持する制御部と
を備え、
前記制御部は、前記ビーコン信号を伝送した後であらかじめ決まった期間の間において前記ステイションから情報を受信し、前記あらかじめ決まった期間は、前記ビーコンタイムスロットと次ビーコンタイムスロットの間に割り当てられるタイムスロットを示し、前記情報は、コーディネーターの要求されるアウェイク／スリープ状態を示すアウェイクメッセージを含み、
前記制御部は、前記受信された情報が前記コーディネーターのウェークアップを要請するためのアウェイクメッセージであるかを確認し、
前記制御部は、前記受信された情報が前記コーディネーターのウェークアップを要請するためのアウェイクメッセージである場合には、前記あらかじめ決まった期間の間において前記コーディネーターの前記アウェイク状態を維持し、前記受信された情報が前記コーディネーターのウェークアップを要請するためのアウェイクメッセージでない場合には、前記コーディネーターの前記アウェイク状態をスリープ状態へと変更させる、装置。
【発明の詳細な説明】
【技術分野】
【０００１】
本発明は無線ＰＡＮ（Ｐｅｒｓｏｎａｌ  Ａｒｅａ  Ｎｅｔｗｏｒｋ）で無線器機（ｓｔａｔｉｏｎ）の間に電源制御のために通信を遂行する方法に関し、特に、ＷＰＡＮ（ｗｉｒｅｌｅｓｓ  ｐｅｒｓｏｎａｌ  ａｒｅａ  ｎｅｔｗｏｒｋ）で多様なステイションの電力制御に関する。
【０００２】
本発明は広い範囲のアプリケーション（ａｐｐｌｉｃａｔｉｏｎ）に適用されることができるし、特にＷＰＡＮでコーディネーターの電力消費を節約し、ＷＰＡＮで周辺ステイションの電力制御を容易にすることに適用されることができる。
【背景技術】
【０００３】
デジタル時代の拡散と発展に負って私たちは周辺でますますさらに多いデジタル製品を見られる。例えばＤＶＤ  プレーヤー、ケーブル  ＳＴＢ（ＳｅｔＴｏｐ  Ｂｏｘ）、ＤＶＣＲ（Ｄｉｇｉｔａｌ  Ｖｉｄｅｏ  Ｃａｓｓｅｔｔｅ  Ｒｅｃｏｒｄｅｒ）、ＤＴＶ（Ｄｉｇｉｔａｌ  ＴＶ）、ＰＣ（Ｐｅｒｓｏｎａｌ  Ｃｏｍｐｕｔｅｒ）  など多いデジタル製品が一つのネットワークに接続されている。こんなステイションは共通されたネットワーク上でステイションとＡＶ（ａｕｄｉｏ−ｖｉｓｕａｌ）データ及びその他データを取り交わすために多様なプロトコルを具現することができる。
【０００４】
ＩＥＥＥ８０２．１５ワーキンググループはＰＡＮのように短い距離で構成されたネットワーク中で移動性あるコンピュータデバイスで構成されたＷＰＡＮの標準を樹立しているし、ホームオートメーション（Ｈｏｍｅ  Ａｕｔｏｍａｔｉｏｎ）、リモートコントロール（Ｒｅｍｏｔｅ  Ｃｏｎｔｒｏｌ）、ユビキタスセンサーネットワーク（Ｕｂｉｑｕｉｔｏｕｓ  Ｓｅｎｓｏｒ  Ｎｅｔｗｏｒｋ）  などにこれを応用するための動きが活発である。特に、最近規格が完成されたＩＥＥＥ  ８０２．１５．３はＨＲ−ＷＰＡＮ（Ｈｉｇｈ  Ｒａｔｅ−ＷＰＡＮ）と呼ばれて、５５Ｍｂ／ｓ以上の高速データ伝送率を特徴とする。ホームネットワーク（Ｈｏｍｅ  Ｎｅｔｗｏｒｋ）で無線マルチメディア伝送のために５乃至５５メートルの短い距離、５５Ｍｂｐｓ以上のデータ伝送率、ネットワーク構成デバイスの動的なトポロジー構成、ストリームのＱｏＳ保障のためのＴＤＭＡ支援、ピアツーピア  接続性（Ｐｅｅｒ−ｔｏ−Ｐｅｅｒ  Ｃｏｎｎｅｃｔｉｖｉｔｙ）  などの特徴を含んでいる。
【０００５】
ＷＰＡＮはＷＰＡＮで基本的な通信タイミング（ｃｏｍｍｕｎｉｃａｔｉｏｎ  ｔｉｍｍｉｎｇ）を提供しビーコン信号を伝送するコーディネーターを含み、前記コーディネーターはＷＰＡＮのＱｏＳ要求（ｒｅｑｕｉｒｅｍｅｎｔ）を管理することができる。無線ＰＡＮのコーディネーター  （Ｃｏｏｒｄｉｎａｔｏｒ）は次の二つの理由で電力節約技法の必要性が存在する。
【０００６】
第一、ＩＥＥＥ  ８０２．１５．３ネットワークでは８０２．１１でのアクセスポイント（Ａｃｃｅｓｓ  Ｐｏｉｎｔ；  ＡＰ）のような機器が存在しない。ＷＰＡＮ系列ネットワークはＷＰＡＮネットワークの範囲でＷＰＡＮが具現されるステイションに基礎して動的トポロジーを構成するピアツーピアネットワークであるからである。すなわち、固定ＡＰは考慮されない。
【０００７】
第二、コーディネーターの機能をするＷＰＡＮ  ステイションはとても多様な器機中の一つである。それぞれのこのような多様なステイションはそれぞれの設計、動作、電力要求によって他の大機状態（ｓｔａｎｄｂｙ  ｓｔａｔｅ）を有することができる。そうするので、多様なステイションの電力節減モードはお互いに異なることができる。すなわち、コーディネーターによるＷＰＡＮの電力管理が要求される。
【発明の概要】
【発明が解決しようとする課題】
【０００８】
コーディネーターで機能するステイションはビーコンメッセージが伝達する時間周期を除き電力消費を節減するスリープ状態（ｓｌｅｅｐ  ｓｔａｔｅ）で維持される。前記コーディネーターは周辺ステイションに割り当てされた通信タイムスロット（ｔｉｍｅｓｌｏｔ）  間にはスリープ状態であるからもし周辺ステイションが前記コーディネーターと通信しようとする場合通信が成らないこともある。そうするので、前記周辺ステイションは前記コーディネーターがスリープ状態である時はコーディネーターと通信ができない。
そこで、本発明は、前述した問題点に鑑みてなされたものであり、本発明の目的とするところは、無線器機の電力制御のための装置及び無線器機の電力制御のための方法を提供することにある。
【課題を解決するための手段】
【０００９】
前記課題を解決するために、前記コーディネーターは電力消費を増加させるアウェイク状態（ａｗａｋｅ  ｓｔａｔｅ）にあるとか前記コーディネーターは割り当てされた通信タイムスロット間周辺ステイションから通信を受信するためにスリープ状態からアウェイク状態に早く取り替えることができるしこれも電力消費を増加させる。
【００１０】
したがって、本発明は無線器機の電力制御のための装置及び無線器機の電力制御のための方法のためのことであり、これは実質的に関連技術の限界と難点による一つ以上の問題点をとり除く。
【００１１】
本発明の利点は電力消費が節減されるＷＰＡＮ  コーディネーターを提供するのである。  ひいては周辺ステイションの電力制御が電力消費を容易に節減することができる。だから非効率的な動作と資源の管理が防止される。
【００１２】
本発明の追加的な特徴及び利点は以下の詳細な説明で現われ、一部は詳細な説明から明らかに理解されるはずでまたは本発明の実施によって理解されることができるでしょう。
【００１３】
本発明の目的及び他の利点は記載した詳細な説明、請求項、及び添付された図面によって特に指摘された構造によって実現して行われるでしょう。
【００１４】
全般的に説明されたように、前記の記載、他の利点、及び本発明の目的を成すため、ステイション（ｓｔａｔｉｏｎ）を含む無線ネットワーク（ｗｉｒｅｌｅｓｓ  ｎｅｔｗｏｒｋ）でのコーディネーター（ｃｏｏｒｄｉｎａｔｏｒ）を制御する方法として、前記コーディネーターは情報を受信または伝送するためのアウェイク状態（ａｗａｋｅ  ｓｔａｔｅ）と電力を節減するためのスリープ状態（ｓｌｅｅｐ  ｓｔａｔｅ）を有し、前記制御方法は、前記コーディネーターをアウェイク状態に進入（ｐｌａｃｅ）させる段階と、ビーコンタイムスロット（ｂｅａｃｏｎ  ｔｉｍｅｓｌｏｔ）  間前記ステイションにビーコン信号（ｂｅａｃｏｎ  ｓｉｇｎａｌ）を伝送する段階と、前記ビーコン信号を伝送した後前記ステイションから情報を受信するためにあらかじめ決まった期間の間前記アウェイク状態を維持する段階とを含みからなる。
【００１５】
本発明の他の様相は、ステイションを含む無線ネットワークでのコーディネーターを制御する方法として、前記コーディネーターは情報を受信または伝送するためのアウェイク状態と電力を節減するためのスリープ状態を有し、前記制御方法は、あらかじめ決まった期間の間ステイションの中で一つから第１アウェイク情報を受信するが、前記第１アウェイク情報は前記コーディネーターを前記アウェイク状態に変更させることを指示する第１アウェイク情報受信段階と前記ステイションの中で一つから第２アウェイク情報を受信するが、前記第２アウェイク情報はターゲットステイション（ｔａｒｇｅｔ  ｓｔａｔｉｏｎ）をアウェイク状態に変更させることを指示する第２アウェイク情報受信段階と、前記ターゲットステイションを前記アウェイク状態に変更させることを指示する第３アウェイク情報を含むビーコン信号をビーコン期間の間伝送する段階を含みからなる。
【００１６】
本発明の他の様相は、ステイションを含む無線ネットワークでのコーディネーターを制御する方法として、前記コーディネーターは情報を受信または伝送するためのアウェイク状態と電力を節減するためのスリープ状態を有し、前記制御方法は、あらかじめ決まった期間の間前記ステイションの中で１つからグループアウェイク情報を受信するが、前記グループアウェイク情報は前記ステイションを前記アウェイク状態に変更させることを指示するグループアウェイク情報受信段階と、ビーコン期間の間前記ステイションにビーコン信号を伝送するが、前記ビーコン信号は前記ステイションをアウェイク状態に変更させることを指示するアウェイク情報を含むビーコン信号伝送段階を含みからなり、前記コーディネーターは少なくとも前記あらかじめ決まった期間及び前記ビーコン期間の間前記アウェイク状態である。
【００１７】
本発明の他の様相は、コーディネーターを含む無線ネットワークでのステイションを制御する方法として、前記コーディネーターは情報を受信または伝送するためのアウェイク状態と電力を節減するためのスリープ状態を有し、前記制御方法は、前記コーディネーターをアウェイク状態に進入させる段階と、あらかじめ決まった期間の間コーディネーターでアウェイク情報を伝送するが、前記アウェイク情報は前記コーディネーターを前記アウェイク状態に変更させることを指示するアウェイク情報伝送段階と、ビーコンタイムスロット間前記コーディネーターからビーコン信号を受信するために前記アウェイク状態を維持する段階を含みからなる。
【００１８】
本発明の他の様相は、コーディネーターを含む無線ネットワークでのステイションを制御する方法として、前記コーディネーターは情報を受信または伝送するためのアウェイク状態と電力を節減するためのスリープ状態を有し、前記制御方法は、あらかじめ決まった期間の間コーディネーターに第１アウェイク情報を伝送するが、前記第１アウェイク情報は前記コーディネーターを前記アウェイク状態に変更させることを指示する第１アウェイク情報伝送段階と、前記コーディネーターに第２アウェイク情報を伝送するが、前記第２アウェイク情報はターゲットステイションを前記アウェイク状態に変更させることを指示する第２アウェイク情報伝送段階を含みからなる。
【００１９】
本発明の他の様相は、コーディネーターを含む無線ネットワークでのステイションを制御する方法として、前記コーディネーターは情報を受信または伝送するためのアウェイク状態と電力を節減するためのスリープ状態を有し、前記制御方法は、ビーコンタイムスロット間コーディネーターからビーコン信号を受信するが、前記ビーコン信号は前記ステイションをアウェイク状態に変更させることを指示するグループアウェイク情報を含むビーコン信号受信段階と、前記受信したアウェイク情報にしたがって前記アウェイク状態に変更する段階を含みからなる。
【００２０】
本発明の他の様相は、無線ネットワークで電力消費を制御するための装置として、前記無線ネットワークは情報を受信するとか伝送するためのアウェイク状態及び電力を節減するためのスリープ状態を有し、前記装置は、外部ステイションからデータを受信して前記外部ステイションにデータを伝送する通信モジュールと、前記通信モジュールを通じてビーコン信号をステイションに伝送するためにビーコンタイムスロット間前記アウェイク状態を維持し、前記ビーコン信号を伝送した後前記通信モジュールを通じて前記ステイションから情報を受信するためにあらかじめ決まった期間の間前記アウェイク状態を維持する制御部を含みからなる。
【００２１】
本発明の他の様相は、無線ネットワークで電力消費を制御するための装置として、前記無線ネットワークは情報を受信するとか伝送するためのアウェイク状態及び電力を節減するためのスリープ状態を有し、前記装置は、少なくとも一つ以上以上の外部ステイション及びコーディネーターにデータを伝送し、少なくとも一つ以上の外部ステイション及びコーディネーターからデータを受信する通信モジュールと、前記通信モジュールを通じてコーディネーターでアウェイク情報を伝送するためにあらかじめ決まった期間の間前記アウェイク状態を維持し、前記通信モジュールを通じて前記コーディネーターからビーコン信号を受信するためにビーコンタイムスロット間前記アウェイク状態を維持する制御部を含みからなる。
【００２２】
本明細書は、例えば、以下の項目も提供する。
（項目１）
ステイション（ｓｔａｔｉｏｎ）を含む無線ネットワーク（ｗｉｒｅｌｅｓｓ  ｎｅｔｗｏｒｋ）でのコーディネーター（ｃｏｏｒｄｉｎａｔｏｒ）を制御する方法において、前記コーディネーターは情報を受信または伝送するためのアウェイク状態（ａｗａｋｅ  ｓｔａｔｅ）と電力を節減するためのスリープ状態（ｓｌｅｅｐ  ｓｔａｔｅ）を有し、前記制御方法は、
前記コーディネーターをアウェイク状態に進入（ｐｌａｃｅ）させる段階と、
ビーコンタイムスロット（ｂｅａｃｏｎ  ｔｉｍｅｓｌｏｔ）間前記ステイションにビーコン信号（ｂｅａｃｏｎ  ｓｉｇｎａｌ）を伝送する段階と、
前記ビーコン信号を伝送した後前記ステイションから情報を受信するためにあらかじめ決まった期間の間前記アウェイク状態を維持する段階と、を含む制御方法
（項目２）
前記情報は、
前記コーディネーターの要求されるアウェイク／スリープ状態を指示するアウェイクメッセージを含む項目１記載の制御方法。
（項目３）
前記ステイションから前記アウェイクメッセージを受信した以後前記アウェイク状態を維持する段階をさらに含む項目２記載の制御方法。
（項目４）
アウェイクメッセージが受信されない場合、前記ビーコンタイムスロットの終了以後に前記コーディネーターを前記スリープ状態に進入させる段階をさらに含む項目２記載の制御方法。
（項目５）
前記コーディネーターは、
競争接近期間（ｃｏｎｔｅｎｔｉｏｎ  ａｃｃｅｓｓ  ｐｅｒｉｏｄ）及び非競争接近期間（ｃｏｎｔｅｎｔｉｏｎ  ｆｒｅｅ  ａｃｃｅｓｓ  ｐｅｒｉｏｄ）間前記スリープ状態である項目４記載の制御方法。
（項目６）
前記情報は、
グループアウェイクメッセージ（ｇｒｏｕｐ  ａｗａｋｅ  ｍｅｓｓａｇｅ）を含む項目１記載の制御方法。
（項目７）
前記グループアウェイクメッセージを受信し前記アウェイク状態を維持する段階と、
前記ステイションにビコン信号を伝送する段階をさらに含むが、
前記ビコン信号は前記ステイションがアウェイク状態に変更されるようにするアウェイクメッセージを含む項目６記載の制御方法。
（項目８）
前記あらかじめ決まった期間は、
ビーコン伝送と隣接する、項目１記載の制御方法。
（項目９）
前記あらかじめ決まった期間は、
前記ビーコン信号と次ビーコン信号の間に割り当てされる項目１記載の制御方法。
（項目１０）
ステイションを含む無線ネットワークでのコーディネーターを制御する方法において、前記コーディネーターは情報を受信または伝送するためのアウェイク状態と電力を節減するためのスリープ状態を有し、前記制御方法は、
あらかじめ決まった期間の間ステイションの中で一つから第１アウェイク情報を受信するが、前記第１アウェイク情報は前記コーディネーターを前記アウェイク状態に変更させることを指示する第１アウェイク情報受信段階と、
前記ステイションの中で一つから第２アウェイク情報を受信するが、前記第２アウェイク情報はターゲットステイション（ｔａｒｇｅｔ  ｓｔａｔｉｏｎ）をアウェイク状態に変更させることを指示する第２アウェイク情報受信段階と、
前記ターゲットステイションを前記アウェイク状態に変更させることを指示する第３アウェイク情報を含むビーコン信号をビーコン期間の間伝送する段階を含む制御方法。
（項目１１）
ステイションを含む無線ネットワークでのコーディネーターを制御する方法において、前記コーディネーターは情報を受信または伝送するためのアウェイク状態と電力を節減するためのスリープ状態を有し、前記制御方法は、あらかじめ決まった期間の間前記ステイションの中で１つからグループアウェイク情報を受信するが、前記グループアウェイク情報は前記ステイションを前記アウェイク状態に変更させることを指示するグループアウェイク情報受信段階と、
ビーコン期間の間前記ステイションでビーコン信号を伝送するが、前記ビーコン信号は前記ステイションをアウェイク状態に変更させることを指示するアウェイク情報を含むビーコン信号伝送段階を含み、
前記コーディネーターは少なくとも前記あらかじめ決まった期間及び前記ビーコン期間の間前記アウェイク状態である制御方法。
（項目１２）
コーディネーターを含む無線ネットワークでのステイションを制御する方法において、前記コーディネーターは情報を受信または伝送するためのアウェイク状態と電力を節減するためのスリープ状態を有し、前記制御方法は、
前記コーディネーターをアウェイク状態に進入させる段階と、
あらかじめ決まった期間の間コーディネーターでアウェイク情報を伝送するが、前記アウェイク情報は前記コーディネーターを前記アウェイク状態に変更させることを指示するアウェイク情報伝送段階と、
ビーコンタイムスロット間前記コーディネーターからビーコン信号を受信するために前記アウェイク状態を維持する段階を含む制御方法。
（項目１３）
前記あらかじめ決まった期間はビーコン伝送と隣接する項目１２記載の制御方法。
（項目１４）
前記あらかじめ決まった期間は前記ビーコン信号と次ビーコン信号の間に割り当てされる項目１２記載の制御方法。
（項目１５）
コーディネーターを含む無線ネットワークでのステイションを制御する方法において、
前記コーディネーターは情報を受信または伝送するためのアウェイク状態と電力を節減するためのスリープ状態を有し、前記制御方法は、
あらかじめ決まった期間の間コーディネーターに第１アウェイク情報を伝送するが、前記第１アウェイク情報は前記コーディネーターを前記アウェイク状態に変更させる
ことを指示する第１アウェイク情報伝送段階と、
前記コーディネーターに第２アウェイク情報を伝送するが、前記第２アウェイク情報はターゲットステイションを前記アウェイク状態に変更させることを指示する第２アウェイク情報伝送段階を含む制御方法。
（項目１６）
前記ターゲットステイションとデータを通信する段階をさらに含む項目１５記載のステイション制御方法。
（項目１７）
コーディネーターを含む無線ネットワークでのステイションを制御する方法において、
前記コーディネーターは情報を受信または伝送するためのアウェイク状態と電力を節減するためのスリープ状態を有し、前記制御方法は、
ビーコンタイムスロット間コーディネーターからビーコン信号を受信するが、前記ビーコン信号は前記ステイションをアウェイク状態に変更させることを指示するグループアウェイク情報を含むビーコン信号受信段階と、
前記受信したアウェイク情報にしたがって前記アウェイク状態に変更する段階を含むステイション制御方法。
（項目１８）
無線ネットワークで電力消費を制御するための装置において、前記無線ネットワークは情報を受信するとか伝送するためのアウェイク状態及び電力を節減するためのスリープ状態を有し、前記装置は、
外部ステイションからデータを受信し前記外部ステイションにデータを伝送する通信モジュールと、
前記通信モジュールを通じてビーコン信号をステイションに伝送するためにビーコンタイムスロット間前記アウェイク状態を維持し、前記ビーコン信号を伝送した後前記通信モジュールを通じて前記ステイションから情報を受信するためにあらかじめ決まった期間の間前記アウェイク状態を維持する制御部を含む装置。
（項目１９）
無線ネットワークで電力消費を制御するための装置において、前記無線ネットワークは情報を受信するとか伝送するためのアウェイク状態及び電力を節減するためのスリープ状態を有し、前記装置は、
少なくとも一つ以上の外部ステイション及びコーディネーターにデータを伝送し、
少なくとも一つ以上の外部ステイション及びコーディネーターからデータを受信する
通信モジュールと、
前記通信モジュールを通じてコーディネーターにアウェイク情報を伝送するためにあらかじめ決まった期間の間前記アウェイク状態を維持し、前記通信モジュールを通じて前記コーディネーターからビーコン信号を受信するためにビーコンタイムスロット間前記アウェイク状態を維持する制御部を含む装置。
前記前述した一般的な説明と以下の詳細な説明は代表的な説明例として理解されなければならないし、請求された本発明のさらに良い説明を提供するためのことである。
【発明の効果】
【００２３】
以上説明したように本発明ば、
スリープ状態でコーディネーターをウェークアップ（ｗａｋｅ−ｕｐ）させることで、前記コーディネーターがアウェイク状態に進入し、アウェイク状態で周辺ステイションをオンさせる信号が受信されると、ビーコンタイムスロット間ビーコン信号を通じて周辺ステイションにアウェイクメッセージを伝送することを含む。したがって、ＷＰＡＮ  ネットワーク（ｎｅｔｗｏｒｋ）のコーディネーターの電力消費は節減され、周辺ステイションによる電力制御が容易になり、ネットワークの非効率的な動作と管理が防止されることができる。
【図面の簡単な説明】
【００２４】
【図１】ＴＶとセットトップボックス（ＳＴＢ）の電源を制御するＴＶと、セットトップボックスを含むＷＰＡＮネットワークを示す図である。
【図２】本発明の一実施の形態に係る電源制御方法の例を示す図である。
【図３】本発明の他の実施の形態に係る電源制御方法のタイミングを示す図である。
【図４】ＴＶとノート・パソコンコンピューターを含むＷＰＡＮネットワークを示す図である。
【図５】ＷＰＡＮを通じてＴＶをオン（ｏｎ）させるノート・パソコンコンピューターを示す図である。
【図６】本発明の他の実施の形態に係る通信タイムライン（ｔｉｍｅｌｉｎｅ）を示す。
【図７】本発明の一実施の形態に係る電源制御を示す流れ図である。
【図８】本発明の他の実施の形態に係る電源制御を示す流れ図である。
【図９】本発明の一実施の形態に係るコーディネーターを示すブロック（ｂｌｏｃｋ）ダイヤグラムである。
【図１０】本発明の一実施の形態に係るステイションを示すブロックダイヤグラムである。
【発明を実施するための形態】
【００２５】
以下に添付図面を参照しながら、本発明の好適な実施の形態について詳細に説明する。
しかし、次に例示する本発明の実施の形態は多くの種他の形態で変形されることができるし、本発明の範囲が次に詳述する実施の形態に限定されるのではない。
【００２６】
図１はＴＶとセットトップボックスの電源を制御するＴＶと、セットトップボックスを含むＷＰＡＮネットワークを示す図である。一般的な電子製品の待機モード電源規格に根拠する時、コーディネーターはビーコンを伝送する区間を除きスリープモードで運営になる。
【００２７】
図１ではＷＰＡＮでＴＶがコーディネーターであり、ＳＴＢが周辺ステイションである。使用者は前記コーディネーターを通じて多様なステイションの電源を制御（例えば、ステイションをオン（Ｏｎ）させるとかオフ（ｏｆｆ）させ）する。
【００２８】
図１に示されたＷＰＡＮではコーディネーターであるＴＶと周辺器機であるセットトップボックス皆ビーコン区間だけアウェイク状態（ａｗａｋｅ  ｓｔａｔｅ）になる。アウェイク状態（Ａｗａｋｅ  ｓｔａｔｅ）は電源がオン（Ｏｎ）  された状態でデータを伝送するとかデータを受信することができる状態を意味する。言い換えれば、スリープ状態は電力消費を節減するために電源がオフされたことを意味する。スリープ状態では、データの伝送と受信が不可能である。
【００２９】
この時、前記ＴＶはビーコン信号を伝送するためにビーコンタイムスロット間に起きる。前記ＳＴＢも前記ＴＶから伝送された前記ビーコン信号を受信するビーコンタイムスロット間には起きる。
【００３０】
図２は本発明の一実施の形態に係る電力制御方法の例を示す図である。
【００３１】
図２を参考すれば、ビーコン信号を伝送し、次ビーコン信号を伝送する間の区間またはビーコン期間と次ビーコン期間の間の区間をビーコン区間（Ｂｅａｃｏｎ  Ｉｎｔｅｒｖａｌ）で定義する。一つのビーコン区間は通信フレーム（ｃｏｍｍｕｎｉｃａｔｉｏｎ  ｆｒａｍｅ）に相応する。
【００３２】
先ず、使用者が任意の瞬間にリモートコントローラー（ｒｅｍｏｔｅ  ｃｏｎｔｒｏｌ）でＴＶをつける（１３０）。ここで、リモートコントローラーは一般的なＩｒＤａリモートコントローラーを仮定するが他の類型のリモートコントローラーも使われることができる。前記ＴＶがオンされるによって、内部通信モジュールが活性化になる（１４０）。すなわち、前記ＴＶはアウェイク状態に進入しアウェイク状態を維持する。引き継いで、使用者は前記リモートコントローラーでセットトップボックスをオンさせる（１５０）。前記コーディネーターであるＴＶによって前記リモートコントローラーからの信号が受信されると、前記  ＴＶからアウェイクメッセージが前記セットトップボックスに伝達する（１６０）。前記アウェイクメッセージの伝達は前記ビーコン信号を通じて遂行される。前記セットトップボックスは前記アウェイクメッセージを受信すれば、前記セットトップボックスはオンになり、前記セットトップボックスに含まれた通信モジュールもオンになる。
【００３３】
図３は本発明の他の実施の形態に係る電源制御方法のタイミングを示す図である。
【００３４】
図３を参考すれば、使用者は前記リモートコントローラーを使って前記ＴＶと前記セットトップボックス皆を同時にオンさせることができる。これはグループオン／オフ（Ｇｒｏｕｐ  Ｏｎ／Ｏｆｆ  ：  ＧＯＯ）  ケースに呼称されることができる。この場合に使用者は前記リモートコントローラーを通じて前記ＴＶでグループウェークアップ（ｗａｋｅ−ｕｐ）  信号を伝送し（３０）、前記ＴＶと前記セットトップボックスはオンになる（４０、５０）。
【００３５】
図２及び図３で、前記セットトップボックスをオンさせるための前記アウェイクメッセージは点線に表示されたビーコン伝送タイムスロットに前記セットトップボックスに伝送される。前記セットトップボックスが前記メッセージを受信すると、前記セットトップボックスは正常動作するために直ちにオンになるようになる。
【００３６】
使用者が周辺ステイション例えば、ノート・パソコンコンピューターを通じてコーディネーター例えば、前記ＴＶを制御しようとする場合、使用者はコーディネーターを制御することができない。
【００３７】
図４はＴＶとノート・パソコンコンピューターを含むＷＰＡＮ  ネットワークを示す図である。
【００３８】
図４でも図１のようなＷＰＡＮをＴＶとセットトップボックスが構成する。ここでは前記ノート・パソコン（ｎｏｔｅｂｏｏｋ  ：  ＮＢ）  コンピューターは無線ステイションを仮定する。
図４に示されたＷＰＡＮで、図１のような方法で前記ＴＶ（すなわちコーディネーター）と前記ノート・パソコンコンピューター（すなわち周辺ステイション）  皆がアウェイク状態に進入することができる。前記ＴＶがアウェイクすると、前記ＴＶは前記ノート・パソコンコンピューターをウェークアップさせるためにビーコン信号を伝送する。前記ノート・パソコンコンピューターは前記ＴＶから伝送された前記ビーコン信号を受信してウェークアップするようになる。
【００３９】
図５はＷＰＡＮを通じてＴＶをオン（ｏｎ）させるノート・パソコンコンピューターを示す図である。
【００４０】
図５で、使用者はノート・パソコンコンピューター（ＮＢ）をつける（３１０）。  したがって、前記ノート・パソコンコンピューターで電力が供給され、前記ノート・パソコンコンピューターの通信モジュールもつけられる。この状況でノート・パソコンを通じて使用者がＴＶ  （コーディネーター）をつけようとする場合に問題が発生する。何故ならば前記コーディネーターは前記ビーコン期間（ｂｅａｃｏｎ  ｐｅｒｉｏｄ）  間ウェークアップし、ビーコンを伝送するばかりである。周辺ステイション例えば、前記ノート・パソコンコンピューターが前記コーディネーターにデータを伝送するためのタイムスロットが存在しないから前記コーディネーターは前記ノート・パソコンコンピューターからビーコン信号を受信することができない。したがって、ＩｒＤａのような他の手段を使わなくてはＷＰＡＮを通じて周辺機器がコーディネーターの電源をつけるとか制御することができない。これは周辺ステイションがビーコン信号を伝送しようとしても、前記ＷＰＡＮでは前記コーディネーターが前記ビーコンタイムスロット間ビーコン信号を伝送することだけできて、ビーコン信号を受信することができないからである。
【００４１】
図６は本発明の他の実施の形態に係る通信タイムライン（ｔｉｍｅｌｉｎｅ）を示す。コーディネーターが周辺ステイションと制御メッセージを交換することができるタイムスロットが割り当てされる。
【００４２】
一般的にＷＰＡＮ通信フレームは競争接近区間（Ｃｏｎｔｅｎｔｉｏｎ  Ａｃｃｅｓｓ  Ｐｅｒｉｏｄ；  ＣＡＰ）と非競争接近区間（Ｃｏｎｔｅｎｔｉｏｎ  Ｆｒｅｅ  ａｃｃｅｓｓ  Ｐｅｒｉｏｄ；  ＣＦＰ）を含む。ステイションがスリープ状態である時は前記ＣＡＰ及びＣＦＰ間伝送／受信することができない。また周辺ステイションからメッセージまたはデータを受信するための通信タイムスロット（Ｓｐｅｃｉａｌ  ＣＡＰ；  Ｓ−ＣＡＰ）が示される。
【００４３】
図６で見るところのように、Ｓ−ＣＡＰは前記ビーコンタイムスロットすぐ側に位置する。前記Ｓ−ＣＡＰは前記コーディネーターが前記ビーコン信号を伝送するためにウェークした時間区間内に位置する。前記Ｓ−ＣＡＰ間周辺ステイションはコーディネーターでネットワーク管理（例えば、電源オン命令、連合（ａｓｓｏｃｉａｔｉｏｎ）  等々）と係わるメッセージを伝送することができる。
【００４４】
前記説明したところのように、Ｓ−ＣＡＰを定義すればコーディネーターと通信を遂行するステイション前記Ｓ−ＣＡＰ間前記コーディネーターにデータを伝送することができる。結果的にコーディネーターはビーコン期間（Ｂｅａｃｏｎ  Ｐｅｒｉｏｄ）と  Ｓ−ＣＡＰｐｅｒｉｏｄでウェーク状態（ｗａｋｅ  ｓｔａｔｅ）になり、その外にはスリープモード（ｓｌｅｅｐ  ｓｔａｔｅ）になる。  だから電源節約が効果的に成る。
【００４５】
図７は本発明の一実施の形態電力制御を示す流れ図である。
【００４６】
図７を参考すれば、ビーコンタイムスロットを除いた区間からスリープ状態に運営されるコーディネーターはグループウェークアップを言い付ける信号が受信されたのかを判断する［Ｓ６１０］。
【００４７】
前記グループウェークアップ信号が受信されると、前記コーディネーターはアウェイク状態（ａｗａｋｅ  ｓｔａｔｅ）で切り替え、到来するビーコン期間（Ｂｅａｃｏｎ  Ｐｅｒｉｏｄ）にビーコン信号を通じてアウェイクメッセージを周辺ステイションに伝送する［Ｓ６２０］。前記ビーコン信号を受信した周辺ステイションはウェークアップしてアウェイク状態（ａｗａｋｅ  ｓｔａｔｅ）に進入する［Ｓ６３０］。
【００４８】
図８は本発明の他の実施の形態に係る電源制御を示す流れ図である。
【００４９】
図８を参考すれば、コーディネーターは通信フレームごとにアウェイク状態（ｗａｋｅ  ｓｔａｔｅ）に切り替えてビーコン信号を伝送する［Ｓ７１０］。
【００５０】
前記ビーコン信号の伝送後一定時間またはＳ−ＣＡＰ間、前記コーディネーターは周辺ステイションからメッセージが受信されたのかを確認する［Ｓ７２０］。前記周辺器機からメッセージが受信されると、前記コーディネーターは前記受信されたメッセージがウェークアップメッセージであるかを確認する［Ｓ７２５］。
【００５１】
もし周辺器機からメッセージやデータが受信されないとか、ウェークアップメッセージが受信されなければ、前記コーディネーターはスリープモード（ｓｌｅｅｐ  ｓｔａｔｅ）に切り替え［Ｓ７３０］、次ビーコン期間（Ｂｅａｃｏｎ  Ｐｅｒｉｏｄ）が到来するまで待機する［Ｓ７４０］。
【００５２】
もしコーディネーターのウェークアップを指示するメッセージが前記一定時間の間またはＳ−ＣＡＰ間受信された場合、前記コーディネーターはアウェイク状態（ａｗａｋｅ  ｓｔａｔｅ）で切り替え、アウェイク状態を維持する［Ｓ７５０］。
【００５３】
図９は本発明の一実施の形態に係るコーディネーターを示すブロック（ｂｌｏｃｋ）  ダイヤグラムである。
【００５４】
図９を参考すれば、本発明のコーディネーターはタイマー（Ｔｉｍｅｒ、１０）、通信モジュール（ｃｏｍｍｕｎｉｃａｔｉｏｎ  ｍｏｄｕｌｅ、２０）、ビーコン管理部（Ｂｅａｃｏｎ  ｍａｎａｇｅｍｅｎｔ  Ｕｎｉｔ、３０）  及び制御部（ｃｏｎｔｒｏｌｌｅｒ、６０）を含むことができる。また、前記ビーコン管理部（Ｂｅａｃｏｎ  ｍａｎａｇｅｍｅｎｔ  ｕｎｉｔ、３０）はビーコン制御部（Ｂｅａｃｏｎ  ｃｏｎｔｒｏｌ  ｕｎｉｔ、４０）  及びビーコン伝送部（Ｂｅａｃｏｎ  ｔｒａｎｓｍｉｔ  ｕｎｉｔ）、５０）を含むことができる。
【００５５】
前記タイマー（Ｔｉｍｅｒ、１０）は前記通信フレームと係わるタイミング情報を提供する。  前記タイミング情報はビーコンタイムスロットの開始と終了点そしてビーコン信号と
次ビーコン信号の間の区間を含む。前記タイマー（Ｔｉｍｅｒ、１０）はまたタイミング情報例えば、前記ビーコンタイムスロット内でＳ−ＣＡＰ期間の時点と長さと前記通信フレームで  ＣＡＰ及びＣＦＰの位置と長さを提供する。
【００５６】
前記通信モジュール（Ｃｏｍｍｕｎｉｃａｔｉｏｎ  ｍｏｄｕｌｅ、２０）はＷＰＮＡで前記コーディネーターと前記他のステイションの間にデータまたは信号を伝送及び受信する。例えば、通信モジュール２０はステイションでアウェイクメッセージを含むビーコン信号を伝送することができる。
【００５７】
前記ビーコン管理部（Ｂｅａｃｏｎ  ｍａｎａｇｅｍｅｎｔ  ｕｎｉｔ、３０）はビーコン信号に含まれ通信モジュール２０を通じて伝送される情報例えば、制御情報、スケジュール情報などを管理する。前記ビーコン管理部３０はビーコン制御部４０及びビーコン伝送部５０を含むことができる。  前記ビーコン制御部（Ｂｅａｃｏｎ  ｃｏｎｔｒｏｌ  ｕｎｉｔ、４０）は前記アウェイクメッセージ、グループアウェイクメッセージ及びビーコン信号に含まれる他のアウェイク情報を管理することができる。前記ビーコン伝送部（Ｂｅａｃｏｎ  ｔｒａｎｓｍｉｔ  ｕｎｉｔ、５０）は前記通信モジュール（ｃｏｍｍｕｎｉｃａｔｉｏｎ  ｍｏｄｕｌｅ、２０）を通じてビーコン信号（ｂｅａｃｏｎ  ｓｉｇｎａｌ）を伝送する。
【００５８】
前記制御部（Ｃｏｎｔｒｏｌｌｅｒ、６０）は前記ビーコン管理部（Ｂｅａｃｏｎ  ｍａｎａｇｅｍｅｎｔ  ｕｎｉｔ、３０）を制御し前記通信モジュール（ｃｏｍｍｕｎｉｃａｔｉｏｎ  ｍｏｄｕｌｅ、２０）を通じてビーコン信号（Ｂｅａｃｏｎ  ｓｉｇｎａｌ）を伝送するように制御することができる。また、前記制御部（Ｃｏｎｔｒｏｌｌｅｒ、６０）は前記コーディネーターがビーコンタイムスロットのビーコン期間またはＳ−ＣＡＰ間アウェイク状態を維持するように制御する。前記Ｓ−ＣＡＰはビーコンタイムスロット内に存在することができる。また、前記Ｓ−ＣＡＰはビーコン伝送に連続して隣接することができるが、前記Ｓ−ＣＡＰは前記ビーコンタイムスロット内にどこでも位置することができる。さらに、前記Ｓ−ＣＡＰは前記通信フレーム内のどこにも位置することができる。ステイションからアウェイクメッセージが受信されると、前記制御部６０は他の命令が与えられるまで前記コーディネーターをアウェイク状態で維持させる。  他のステイションから特定ステイションをウェークアップさせる要請が受信されると、前記制御部６０はビーコン信号を通じて前記特定ステイションをウェークアップさせるための命令を伝送することができる。
【００５９】
本実施の形態では前記制御部（Ｃｏｎｔｒｏｌｌｅｒ、６０）と前記ビーコン管理部（Ｂｅａｃｏｎ  ｍａｎａｇｅｍｅｎｔ  ｕｎｉｔ、３０）の役目を区分して記載したが、前記制御部（Ｃｏｎｔｒｏｌｌｅｒ、６０）で前記ビーコン管理部（Ｂｅａｃｏｎ  ｍａｎａｇｅｍｅｎｔ  ｕｎｉｔ、３０）の役目を含むことができることは自明である。
【００６０】
図１０は本発明の一実施の形態に係るステイションを示すブロックダイヤグラムである。
【００６１】
図１０を参考すれば、本発明のステイションはタイマー（Ｔｉｍｅｒ、７０）、通信モジュール（ｃｏｍｍｕｎｉｃａｔｉｏｎ  ｍｏｄｕｌｅ、８０）、ビーコン管理部（Ｂｅａｃｏｎ  ｍａｎａｇｅｍｅｎｔ  Ｕｎｉｔ、９０）及び制御部（ｃｏｎｔｒｏｌｌｅｒ、１２０）を含むことができる。また、前記ビーコン管理部（Ｂｅａｃｏｎ  ｍａｎａｇｅｍｅｎｔ  ｕｎｉｔ、１２０）はビーコン分析部（Ｂｅａｃｏｎ  ａｎａｌｙｓｉｓ  ｕｎｉｔ）、１００）及びビーコン受信部（Ｂｅａｃｏｎ  Ｒｅｃｅｉｖｉｎｇ  ｕｎｉｔ、１１０）を含むことができる。
【００６２】
前記タイマー（Ｔｉｍｅｒ、７０）は前記通信フレームと係わるタイミング情報を提供する。  前記タイミング情報はビーコンタイムスロットの基点と終点そしてビーコン信号と次ビーコン信号の区間を含む。また、前記タイマー（Ｔｉｍｅｒ、８０）は前記通信フレームと係わるタイミング情報を提供する。例えば、前記タイマー（Ｔｉｍｅｒ、７０）は前記コーディネーターから受信されるビーコンと同調される。  また、前記タイマー７０は前記コーディネーターによって定義されたＳ−ＣＡＰと同調される。
【００６３】
前記通信モジュール（ｃｏｍｍｕｎｉｃａｔｉｏｎ  ｍｏｄｕｌｅ、８０）は前記ＷＰＡＮ内でステイションの間、前記コーディネーターと異なるステイションの間のデータまたは信号を伝送及び受信する。例えば、通信モジュール２０は前記コーディネーター（ｃｏｏｒｄｉｎａｔｏｒ）で前記Ｓ−ＣＡＰ間に  ａｗａｋｅ  ｍｅｓｓａｇｅを伝送することができる。
【００６４】
前記ビーコン受信部（Ｂｅａｃｏｎ  Ｒｅｃｅｉｖｉｎｇ  ｕｎｉｔ、１１０）は前記コデ−ネイトウからビーコン信号を受信して感知する。前記ビーコン分析部（Ｂｅａｃｏｎ  ａｎａｌｙｓｉｓ  ｕｎｉｔ）、１００）は前記受信されたビーコン信号を分析して前記ビーコン信号に含まれた情報を獲得することができる。例えば、前記ビーコン分析部１００はビーコン信号内のアウェイク情報（ａｗａｋｅ  ｉｎｆｏｒｍａｔｉｏｎ）を認識することができる。
【００６５】
前記制御部（ｃｏｎｔｒｏｌｌｅｒ、１２０）は前記ビーコン管理部９０によって受信され、感知され、分析された前記ビーコン信号から獲得された多様な情報に基礎して電力消費とステイションの状態を制御する。例えば、アウェイク情報などを受信することで、前記制御部１２０はステイションの電力消費と状態を制御することができる。前記制御部（ｃｏｎｔｒｏｌｌｅｒ、１２０）は前記Ｓ−ＣＡＰ期間の間前記コーディネーターをウェークさせるためのメッセージを提供するために前記タイマー７０と接続する。
【００６６】
本実施の形態では前記制御部（ｃｏｎｔｒｏｌｌｅｒ、１２０）と前記ビーコン管理部（Ｂｅａｃｏｎ  Ｍａｎａｇｅｍｅｎｔ  ｕｎｉｔ、９０）の役目を区分して記載しているが、前記制御部（ｃｏｎｔｒｏｌｌｅｒ、１２０）が前記ビーコン管理部（Ｂｅａｃｏｎ  Ｍａｎａｇｅｍｅｎｔ  ｕｎｉｔ、９０）の役目を含むことができることは自明である。
【００６７】
本発明は図面に示された一実施の形態を参照にして説明したがこれは例示的なことに過ぎなくてあって分野で通常の知識を有する者であると今後多様な変形及び実施の形態の変形が可能であるという点を理解するでしょう。そして、このような変形は本発明の技術的保護範囲内にいると思わなければならない。したがって、本発明の真正な技術的保護範囲は添付された特許請求範囲の技術的思想によって決まらなければならない。
【産業上の利用可能性】
【００６８】
本発明はスリープ状態でコーディネーターをウェークアップ（ｗａｋｅ−ｕｐ）  させることで、前記コーディネーターがアウェイク状態に進入して、アウェイク状態で周辺ステイションをオンさせる信号が受信されると、ビーコンタイムスロット間ビーコン信号を通じて周辺ステイションでアウェイクメッセージを伝送することを含む。  よって、ＷＰＡＮ  ネットワーク（ｎｅｔｗｏｒｋ）のコーディネーターの電力消費は節減されて、周辺ステイションによる電力制御が容易くなって、ネットワークの非効率的な動作と管理が防止されることができる。
【符号の説明】
【００６９】
１０  タイマー
２０  通信モジュール
３０  ビーコン管理部
４０  ビーコン制御部
５０  ビーコン伝送部
６０  制御部
【図１】
0005584205.tif 000002
【図２】
0005584205.tif 000003
【図３】
0005584205.tif 000004
【図４】
0005584205.tif 000005
【図５】
0005584205.tif 000006
【図６】
0005584205.tif 000007
【図７】
0005584205.tif 000008
【図８】
0005584205.tif 000009
【図９】
0005584205.tif 000010
【図１０】
0005584205.tif 000011